(57)【要約】【課題】１５Ａ屋内配線で使用したときに、１口当たりの最大加熱電力量を調理に支障ないレベルとすること。【解決手段】操作表示部４は、総電力量が３０００Ｗを超えないように、３口ある加熱ユニットのうち２口を同時使用すると残りの１口にて加熱できないようにして、誘導加熱ユニット２口同時加熱のときは１口当たり最大１４５０Ｗで加熱し、誘導加熱ユニット１口とロースタ用シーズヒータの同時加熱のときは誘導加熱ユニットを最大１８００Ｗで加熱して、最大加熱電力量を調理に支障ないレベルにすることができる。【選択図】図１ 
2005158329.tif 000002
【特許請求の範囲】
【請求項１】
３口以上の加熱ユニットを備え、前記加熱ユニットの合計する総電力量が所定値を超えないように同時に加熱可能な加熱ユニット数を全加熱ユニット数よりも少なく制限する制御手段を備えた加熱調理器。
【請求項２】
３口以上の加熱ユニットの一部または全部にタイマー設定やメニュー選択等の加熱に先立つ事前準備に関する機能を有し、非加熱ユニットにて前記事前準備の状態のときに同時に加熱可能な加熱ユニット数に到達すると、制御手段は、前記非加熱ユニットの事前準備状態を解除する請求項１に記載の加熱調理器。
【請求項３】
３口以上の加熱ユニットの一部または全部にタイマー設定やメニュー選択等の加熱に先立つ事前準備に関する機能を有し、前記事前準備の状態にある加熱ユニットは、加熱動作中と見なして加熱ユニットの動作を制限するようにした請求項１に記載の加熱調理器。
【請求項４】
制御手段は、制限された加熱ユニット数に到達すると、前記制限された加熱ユニット数に含まれない加熱ユニットの操作の一部または全部を無効とする請求項１〜３のいずれか１項に記載の加熱調理器。
【請求項５】
報知手段を備え、前記制限された加熱ユニット数に含まれない加熱ユニットにて無効な操作を行うと、前記操作が無効である旨の報知を行う請求項４に記載の加熱調理器。
【請求項６】
制限された加熱ユニット数に到達すると、前記制限された加熱可能な加熱ユニット以外の加熱ユニットは、加熱不可である旨の表示を行う請求項１〜５のいずれか１項に記載の加熱調理器。
【請求項７】
加熱ユニットの動作状態を示す表示手段と、前記表示手段を照明する照明手段を加熱ユニット毎に各々備え、制限された加熱ユニット数に到達すると、前記制限された加熱ユニット以外の加熱ユニットの照明手段を消灯する請求項１〜６のいずれか１項に記載の誘導加熱調理器。
【請求項８】
制御手段は、特定の加熱ユニットについて、他の加熱ユニットで制限された加熱ユニット数に到達した場合でも、操作を有効として加熱開始または加熱に先立つ事前準備状態になるとともに、すでに使用状態にある加熱ユニットのうち少なくとも１つを加熱停止または前記事前準備状態を解除する請求項１〜７のいずれか１項に記載の加熱調理器。
【請求項９】
制御手段は、特定の加熱ユニットにて、他の加熱ユニットで制限された加熱ユニット数に到達した場合に、加熱開始に関する操作を行う前はすでに使用状態にある加熱ユニットの状態を保持し、前記加熱開始に関する操作を行うとすでに使用状態にある加熱ユニットのうち少なくとも１つを加熱停止または前記事前準備状態を解除するようにした請求項８に記載の加熱調理器。
【請求項１０】
特定の加熱ユニットは、優先順位が高い旨の表示を行う請求項８または９に記載の加熱調理器。
【請求項１１】
特定の加熱ユニットが使用されたときに加熱停止または加熱に先立つ事前準備状態を解除する加熱ユニットは、優先順位が低い旨の表示を行う請求項８または９に記載の加熱調理器。
【請求項１２】
特定の加熱ユニットにて優先順位を高める動作を行うか否かを選択可能とした請求項８〜１１のいずれか１項に記載の加熱調理器。
【請求項１３】
複数の加熱ユニットのなかからの特定の加熱ユニットの選択は、変更可能とした請求項８〜１２のいずれか１項に記載の加熱調理器。
【発明の詳細な説明】
【技術分野】
【０００１】
本発明は、多口加熱調理器に関するものである。
【背景技術】
【０００２】
近年、誘導加熱装置は安全・清潔・高効率という優れた特徴が認知され、この誘導加熱装置に加えてラジェントヒータやロースタ用のシーズヒータを備えた多口加熱調理器が一般家庭のキッチンに普及されている。
【０００３】
従来、この種の多口加熱調理器は、全ての加熱ユニットを同時に通電したときに総電力量が３０Ａまたは２０Ａの屋内配線容量を越えないように、ある特定の加熱ユニットにて、最大電力量を制限する、あるいは設定可能な最大火力設定を制限している。（例えば、特許文献１参照）
【特許文献１】特開２００２−１９０３７６号公報
【発明の開示】
【発明が解決しようとする課題】
【０００４】
しかしながら、前記従来の構成では、多口加熱調理器専用で２００Ｖ−３０Ａまたは２０Ａの屋内配線容量を確保できるように、場合によっては１戸全体の電源容量を強化する必要がある。
【０００５】
また、１戸全体の電源容量はそのままにして、多口加熱調理器を２００Ｖ−１５Ａ屋内配線で使用する場合、例えば、最大２０００Ｗの誘導加熱ユニットを２口、１２００Ｗのロースタ用シーズヒータを１口備えた多口加熱調理器で３口同時に加熱すると、１８００Ｗの電力量を２口の誘導加熱ユニットで分配しなければならず、均等に配分すると１口当たり９００Ｗと加熱電力量が小さくなって調理に支障をきたす恐れがある、あるいは不均等に配分すると一方の誘導加熱ユニットの加熱電力量は９００Ｗより更に小さくなって調理できないという課題を有していた。
【０００６】
本発明は、前記従来の課題を解決するもので、１５Ａ屋内配線で使用したときに、１口当たりの最大加熱電力量を調理に支障ないレベルとした加熱調理器を提供することを目的とする。
【課題を解決するための手段】
【０００７】
前記従来の課題を解決するために、本発明の加熱調理器は、総電力量が所定値を超えないように同時に加熱可能な加熱ユニット数を全加熱ユニット数よりも少なく制限したものである。
【０００８】
これによって、例えば、最大２０００Ｗの誘導加熱ユニットを２口、１２００Ｗのロースタ用シーズヒータを１口備えた多口加熱調理器を１５Ａ屋内配線容量で使用する場合、２口の加熱ユニットにて加熱中は残り１口の加熱ユニットを加熱不可として、誘導加熱ユニット２口同時加熱のときは１口当たり最大１５００Ｗで加熱し、誘導加熱ユニット１口とロースタ用シーズヒータの同時加熱のときは誘導加熱ユニットを最大１８００Ｗで加熱する。
【発明の効果】
【０００９】
本発明の加熱調理器は、１５Ａ屋内配線で使用したときでも、１口当たりの最大加熱電力量を調理に支障ないレベルにすることができる。
【発明を実施するための最良の形態】
【００１０】
第１の発明は、３口以上の加熱ユニットを備えて、前記加熱ユニットの合計する総電力量が所定値を超えないように同時に加熱可能な加熱ユニット数を全加熱ユニット数よりも少なく制限する制御手段を備えたことにより、例えば、最大２０００Ｗの誘導加熱ユニットを２口、１２００Ｗのロースタ用シーズヒータを１口備えた多口加熱調理器を２００Ｖ−１５Ａ屋内配線で使用する場合、３口の加熱ユニットのうち２口を同時加熱すると残りの１口は加熱不可となり、誘導加熱ユニット２口同時加熱のときは１口当たり最大１５００Ｗで加熱し、誘導加熱ユニット１口とロースタ用シーズヒータの同時加熱のときは誘導加熱ユニットを最大１８００Ｗで加熱となって、１口当たりの最大加熱電力量を調理に支障ないレベルにすることができる。
【００１１】
第２の発明は、特に第１の発明において、３口以上の加熱ユニットの一部または全部にタイマー設定やメニュー選択等の加熱に先立つ事前準備に関する機能を有し、非加熱ユニットにて前記事前準備の状態のときに同時に加熱可能な加熱ユニット数に到達すると、制御手段は、前記非加熱ユニットの事前準備状態を解除することにより、例えば、同時加熱できる加熱ユニット数を２口とした３口加熱調理器の場合、１口は加熱中で別の１口はタイマー設定のみのときに、残りの１口を加熱開始するとタイマー設定のみの加熱ユニットは加熱不可とするとともにタイマー設定を解除して、機器を使用する者に残りの加熱ユニットは調理に使用できないことを認識させることができる。
【００１２】
第３の発明は、特に第１の発明において、３口以上の加熱ユニットの一部または全部にタイマー設定やメニュー選択等の加熱に先立つ事前準備に関する機能を有し、加熱ユニットの制限数に前記事前準備の状態にある加熱ユニットは、加熱動作中と見なして加熱ユニットの動作を制限することにより、例えば、同時使用できる加熱ユニット数を２口とした３口加熱調理器の場合、１口は加熱中で別の１口はタイマー設定のみのときに、残りの１口に関する操作を受け付けないようにして、タイマー設定したけど加熱操作できないといった現象をなくし、機器の使い勝手を向上することができる。
【００１３】
第４の発明は、特に第１〜３のいずれか１つの発明において、制限された加熱ユニット数に到達すると、前記制限された加熱ユニット数に含まれない加熱ユニットにて、操作の一部または全部を無効とすることにより、これ以上に別の加熱ユニットが加熱開始するのを防ぎ、現時点で同時に加熱している加熱ユニットの状態を継続することができる。
【００１４】
第５の発明は、特に第４の発明において、報知手段を備えて、前記制限された加熱ユニット数に含まれない加熱ユニットにて無効な操作を行うと、前記操作が無効である旨の報知を行うことにより、加熱不可な加熱ユニットにて操作を行ったときに操作無効である旨の報知を行って、機器を使用する者は、調理に使用する加熱ユニットをこれ以上増やすことができないことを認識することができる。
【００１５】
第６の発明は、特に第１〜５のいずれか１つの発明において、制限された加熱ユニット数に到達すると、前記制限された加熱可能な加熱ユニット以外の加熱ユニットにて、加熱不可である旨の表示を行うことにより、各加熱ユニットにて加熱可能か否かを表示し、機器を使用する者は、表示を見て調理に使用する加熱ユニットを増やすことができるか否かを識別できる。
【００１６】
第７の発明は、特に第１〜６のいずれか１つの発明において、加熱ユニットの動作状態を示す表示手段と、前記表示手段を照明する照明手段を加熱ユニット毎に各々備えて、制限された加熱ユニット数に到達すると、前記制限された加熱ユニット以外の加熱ユニットの照明手段を消灯することにより、各加熱ユニットにて加熱可能か否かを照明手段の点灯／消灯にて示し、表示手段に専用の表示要素を別途設けることなく、機器を使用する者に調理に使用する加熱ユニットを増やすことができるか否かを識別させることができる。
【００１７】
第８の発明は、特に第１〜７のいずれか１つの発明において、特定の加熱ユニットについて、他の加熱ユニットで制限された加熱ユニット数に到達した場合でも、操作を有効として加熱開始または加熱に先立つ事前準備状態になるとともに、すでに使用状態にある加熱ユニットのうち少なくとも１つを加熱停止または前記事前準備状態を解除することにより、機器を使用する者は、他の加熱ユニットで制限された加熱ユニット数に到達しているときでも、特定の加熱ユニットを優先的に使用することができる。
【００１８】
第９の発明は、特に第８の発明において、特定の加熱ユニットにて、他の加熱ユニットで制限された加熱ユニット数に到達した場合に、加熱開始に関する操作を行う前はすでに使用状態にある加熱ユニットの状態を保持し、前記加熱開始に関する操作を行うとすでに使用状態にある加熱ユニットのうち少なくとも１つを加熱停止または前記事前準備状態を解除することにより、特定の加熱ユニットで加熱に先立つ事前準備に関する操作を行っただけでは他の加熱ユニットの状態は変化しないので、例えば、すでに他の加熱ユニットで制限された加熱ユニット数に到達しているときに、特定の加熱ユニットで誤ってタイマー時間の設定を行い、その後前記タイマー時間の設定を解除した場合には、他の加熱ユニットは引き続き使用状態を維持することができる。
【００１９】
第１０の発明は、特に第８または第９の発明において、特定の加熱ユニットにて、優先順位が高い旨の表示を行うことにより、機器を使用する者は、表示を見て優先順位の高い加熱ユニットを識別することができる。
【００２０】
第１１の発明は、特に第８または第９の発明において、特定の加熱ユニットが使用されたときに加熱停止または加熱に先立つ事前準備状態を解除する加熱ユニットにて、優先順位が低い旨の表示を行うことにより、機器を使用する者は、表示を見て優先順位の高い加熱ユニットを使用したときに加熱停止または使用不可になってしまう可能性がある加熱ユニットを識別することができる。
【００２１】
第１２の発明は、特に第８〜１１のいずれか１つの発明において、特定の加熱ユニットにて優先順位を高める動作を行うか否かを選択可能とすることにより、機器を使用する者は、他の加熱ユニットで制限された加熱ユニット数に到達しているときでも、特定の加熱ユニットを優先的に使用できるようにするか否かを選択することができる。
【００２２】
第１３の発明は、特に第８〜１２のいずれか１つの発明において、複数の加熱ユニットのなかからの特定の加熱ユニットの選択は、変更可能とし、特定の加熱ユニットを選択可能とすることにより、機器を使用する者は、好みに応じて一番使用頻度の高い加熱ユニットを優先順位の高い加熱ユニットとして選択することができる。
【００２３】
以下、本発明の実施の形態について、図面を参照しながら説明する。なお、この実施の形態によって本発明が限定されるものではない。
【００２４】
（実施の形態１）
図１は、本発明の実施の形態１における加熱調理器のブロック図、図２は同加熱調理器の外観図、図３は同加熱調理器の操作表示部の外観図である。
【００２５】
図１に示すように、機器は、右誘導加熱ユニット１、左誘導加熱ユニット２、およびロースタユニット３の合計３口の加熱ユニットより構成され、これら３口の加熱ユニットの各々についての加熱開始等の操作および加熱状態等の表示を行うとともに各ユニットの動作を制御する操作表示制御手段４（以下操作表示部４という）、ブザー等よりなる報知手段５を備えている。
【００２６】
また、右誘導加熱ユニット１および左誘導加熱ユニット２は、加熱コイル１ａ、２ａ、インバータ回路１ｂ、２ｂ、制御手段１ｃ、２ｃをそれぞれ備え、ロースタユニット３は、シーズヒータ３ａ、リレー３ｂ、制御手段３ｃを備えている。そして、商用電源６は電源スイッチ７を介して右誘導加熱ユニット１、左誘導加熱ユニット２、およびロースタユニット３にそれぞれ接続される。
【００２７】
また、図２に示すように、機器の天面にて、左右対称になるように右誘導加熱ユニット１および左誘導加熱ユニット２、これらより手前側に操作表示部４、機器を使用する者に対向する側面にロースタユニット３が設けられている。
【００２８】
また、図３に示すように、操作表示部４は右誘導加熱ユニット１に関する操作・表示を行う右誘導加熱操作表示部８、左誘導加熱ユニット２に関する操作・表示を行う左誘導加熱操作表示部９、およびロースタユニット３に関する操作・表示を行うロースタ操作表示部１０より構成されている。
【００２９】
そして、右誘導加熱操作表示部８は、液晶表示素子（以下ＬＣＤと称す）等からなる右表示手段８ａ、発光ダイオード（以下ＬＥＤと称す）等からなる右表示照明手段８ｂ、右切／入キー８ｃ、右アップキー８ｄ、右ダウンキー８ｅ、右時キー８ｆ、右分キー８ｇ、右取消キー８ｈで構成され、左誘導加熱操作表示部９は、ＬＣＤ等からなる左表示手段９ａ、ＬＥＤ等からなる左表示照明手段９ｂ、左切／入キー９ｃ、左アップキー９ｄ、左ダウンキー９ｅ、左時キー９ｆ、左分キー９ｇ、左取消キー９ｈで構成され、ロースタ操作表示部１０は、ＬＣＤ等からなるロースタ表示手段１０ａ、ＬＥＤ等からなるロースタ表示照明手段１０ｂ、ロースタ切／入キー１０ｃ、ロースタアップキー１０ｄ、ロースタダウンキー１０ｅ、ロースタメニュー選択キー１０ｆ、ロースタ分キー１０ｇ、ロースタ取消キー１０ｈで構成されている。なお、右表示照明手段８ｂは右表示手段８ａを、左表示照明手段９ｂは左表示手段９ａを、ロースタ表示照明手段１０ｂはロースタ表示手段１０ａを、それぞれ全体的にほぼ均一な明るさで照明する。
【００３０】
ここで、図１で示す各構成手段について説明する。右誘導加熱ユニット１および左誘導加熱ユニット２では、制御手段１ｃ、２ｃがインバータ回路１ｂ、２ｂを制御して加熱コイル１ａ，２ａに約２３ｋＨｚの高周波電流を供給し、加熱コイル１ａ，２ａと磁気結合する鍋を誘導加熱する。ロースタユニット３では、制御手段３ｃがリレー３ｂをオンオフさせてシーズヒータ３ａの通電を制御し、前記オンオフの通電率を変更してシーズヒータ３ａの加熱量を制御する。
【００３１】
また、右誘導加熱ユニット１および左誘導加熱ユニット２は、それぞれ火力「弱」、「１」、「２」、「３」、「４」、「５」、「６」、「強」にて８段階の火力設定を有し、ロースタユニット３は、火力「弱」、「中」、「強」にて３段階の火力設定を有する。なお、右誘導加熱ユニット１および左誘導加熱ユニット２における各火力設定での出力を表１示す。
【００３２】
【表１】
2005158329.tif 000003
【００３３】
また、ロースタユニット３における各火力設定でのシーズヒータ３ａへの通電率を表２に示す。
【００３４】
【表２】
2005158329.tif 000004
【００３５】
さらに、ロースタユニット３は、「生・姿焼き」、「切り身／干物」、「つけ焼き」の３種類のオート調理メニューを備える。
【００３６】
さらに、操作表示部４にて、右切／入キー８ｃ、左切／入キー９ｃ、ロースタ切／入キー１０ｃで各ユニットの加熱切／入を設定し、右アップキー８ｄ、左アップキー９ｄ、ロースタアップキー１０ｄで各ユニットの火力設定を上げ、右ダウンキー８ｅ、左ダウンキー９ｅ、ロースタダウンキー１０ｅで各ユニットの火力設定を下げる。
【００３７】
さらに、操作表示部４にて、右時キー８ｆ、右分キー８ｇ、左時キー９ｆ、左分キー９ｇ、ロースタ分キー１０ｇでタイマー時間を設定し、右取消キー８ｈ、左取消キー９ｈ、ロースタ取消キー１０ｈでタイマー設定を解除し、ロースタメニュー選択キー１０ｆで前記３種類のオート調理メニューの中から任意のものを選択する。
【００３８】
さらに、操作表示部４は、有効なキー操作を受け付けると、報知手段５を「ぴっ」と吹鳴させる。
【００３９】
以上のように構成された加熱調理器について、以下、図４〜５を用いて、その動作、作用を説明する。図４は本発明の実施の形態１における加熱調理器の表示例、図５は同加熱調理器のその他の表示例である。
【００４０】
さて、機器を使用する場合、まず電源スイッチ７をオンにして機器と商用電源６を接続し、機器を使用可能な状態にする。すると、操作表示部４は、右表示照明手段８ｂ、左表示照明手段９ｂ、ロースタ表示照明手段１０ｂをそれぞれ点灯して各ユニットが使用可能な状態にあることを示すとともに、右表示手段８ａ、左表示手段９ａ、ロースタ表示手段１０ａの表示内容をそれぞれ全消灯して各ユニットが加熱停止状態であることを示す。
【００４１】
ここで、まず右誘導加熱ユニット１で調理を行う場合について説明する。図２で示した右誘導加熱ユニット１のところに鍋を置き右切／入キー８ｃを押下すると、操作表示部４の右誘導加熱操作表示部８は右誘導加熱ユニット１の制御手段１ｃを制御して火力「５」（１０００Ｗ）で加熱開始するとともに、右表示手段８ａにて火力「５」で加熱している旨の表示を行う。また、右誘導加熱操作表示部８は、右アップキー８ｄの押下を検知すると右誘導加熱ユニット１の火力設定を上げるとともに右表示手段８ａにて変更後の火力設定を表示し、右ダウンキー８ｅの押下を検知すると右誘導加熱ユニット１の火力設定を下げるとともに右表示手段８ａにて変更後の火力設定を表示する。さらに、右誘導加熱操作表示部８は、右時キー８ｆまたは右分キー８ｇの押下を検知するとタイマー時間を設定するとともに右表示手段８ａにて設定されたタイマー時間を表示し、タイマー時間が設定されているときに右取消キー８ｈの押下を検知するとタイマー機能を取り消す。
【００４２】
次に、左誘導加熱ユニット２で調理を行う場合について説明する。図２に示した左誘導加熱ユニット２のところに鍋２を置き左切／入キー９ｃを押下すると、操作表示部４の左誘導加熱操作表示部９は左誘導加熱ユニット２の制御手段２ｃを制御して火力「５」（１０００Ｗ）で加熱開始するとともに、左表示手段９ａにて火力「５」で加熱している旨の表示を行う。また、左誘導加熱操作表示部９は、左アップキー９ｄの押下を検知すると左誘導加熱ユニット２の火力設定を上げるとともに左表示手段９ａにて変更後の火力設定を表示し、左ダウンキー９ｅの押下を検知すると左誘導加熱ユニット２の火力設定を下げるとともに左表示手段９ａにて変更後の火力設定を表示する。さらに、左誘導加熱操作表示部９は、左時キー９ｆまたは左分キー９ｇの押下を検知するとタイマー時間を設定するとともに左表示手段９ａにて設定されたタイマー時間を表示し、タイマー時間が設定されているときに左取消キー９ｈの押下を検知するとタイマー機能を取り消す。
【００４３】
次に、ロースタユニット３で調理を行う場合について説明する。図３に示したロースタユニット３の庫内に調理物を設置してロースタ切／入キー１０ｃを押下すると、操作表示部４のロースタ操作表示部１０はロースタユニット３の制御手段３ｃを制御して火力「強」（１２００Ｗ）で加熱開始するとともに、ロースタ表示手段１０ａにて火力「強」で加熱している旨の表示を行う。また、ロースタ操作表示部１０は、ロースタダウンキー１０ｅの押下を検知するとロースタユニット３の火力設定を下げるとともにロースタ表示手段１０ａにて変更後の火力設定を表示し、ロースタアップキー１０ｄの押下を検知するとロースタユニット３の火力設定を上げるとともにロースタ表示手段１０ａにて変更後の火力設定を表示する。さらに、ロースタ操作表示部１０は、ロースタ分キー１０ｇの押下を検知するとタイマー時間を設定するとともにロースタ表示手段１０ａにて設定されたタイマー時間を表示し、タイマー時間が設定されているときにロースタ取消キー１０ｈの押下を検知するとタイマー機能を取り消す。さらに、ロースタ操作表示部１０は、ロースタユニット３が加熱停止のときにロースタメニュー選択キー１０ｆの押下を検知すると、「生・姿焼き」→「切り身／干物」→「つけ焼き」→「生・姿焼き」の順でオート調理メニューの選択を変更するとともにロースタ表示手段１０ａにて選択されているオート調理メニューを表示し、この状態でロースタ切／入キー１０ｃの押下を検知すると選択されたオート調理メニューに従ってシーズヒータ３ａの通電を行うように制御手段３ｃを制御する。
【００４４】
それでは、２つの加熱ユニットを同時に使用したときの動作について説明する。
【００４５】
まず、右誘導加熱ユニット１と左誘導加熱ユニット２を同時に使用した場合について説明する。この場合、操作表示部４は、１５Ａ屋内配線の定格内に抑えるために、右誘導加熱ユニット１および左誘導加熱ユニット２にて設定可能な最大火力設定を火力「６」（１４５０Ｗ）とする。そして、右誘導加熱操作表示部８にて火力「６」のときに右アップキー８ｄの押下を検知する、または左誘導加熱操作表示部９にて火力「６」のときに左アップキー９ｄの押下を検知すると、報知手段５を「ぴっぴっぴっ」と吹鳴させてキー操作が無効である旨の報知を行う。ロースタユニット３については、図４に示すように、ロースタ操作表示部１０のロースタ表示手段１０ａにてロースタユニット３が加熱できない旨を示す「不可」表示を行って、機器を使用する者にロースタユニット３で加熱できないことを認識させるとともに、万が一、ロースタ切／入キー１０ｃの押下を検知すると、報知手段５を「ぴっぴっぴっ」と吹鳴させてキー操作が無効である旨の報知を行う。
【００４６】
次に、右誘導加熱ユニット１とロースタユニット３を同時に使用した場合について説明する。この場合、操作表示部４は、１５Ａ屋内配線の定格内に抑えるために、右誘導加熱ユニット１にて火力「強」のときの出力を２０００Ｗ→１８００Ｗに低下させる。左誘導加熱ユニット２については、左誘導加熱操作表示部９の左表示手段９ａにて左誘導加熱ユニット２が加熱できない旨を示す「不可」表示を行って、機器を使用する者に左誘導加熱ユニット２で加熱できないことを認識させるとともに、万が一、左切／入キー９ｃの押下を検知すると、報知手段５を「ぴっぴっぴっ」と吹鳴させてキー操作が無効である旨の報知を行う。
【００４７】
次に左誘導加熱ユニット２とロースタユニット３を同時に使用した場合について説明する。この場合、操作表示部４は、１５Ａ屋内配線の定格内に抑えるために、左誘導加熱ユニット２にて火力「強」のときの出力を２０００Ｗ→１８００Ｗに低下させる。右誘導加熱ユニット１については、右誘導加熱操作表示部８の右表示手段８ａにて右誘導加熱ユニット１が加熱できない旨を示す「不可」表示を行って、機器を使用する者に右誘導加熱ユニット１で加熱できないことを認識させるとともに、万が一、右切／入キー８ｃの押下を検知すると、報知手段５を「ぴっぴっぴっ」と吹鳴させてキー操作が無効である旨の報知を行う。
【００４８】
以上のように、本発明の実施の形態１では、操作表示部４は、３口ある加熱ユニットのうち２口を同時使用すると残りの１口にて加熱できないようにするので、２００Ｖ−１５Ａ屋内配線で使用したときでも１口当たりの最大加熱電力量を１４５０Ｗ以上として調理に支障ないレベルにすることができる。また、２口同時使用されているときに残りの１口にて加熱できない旨の表示を行うので、機器を使用する者は、表示を見て調理に使用する加熱ユニットを増やすことができるか否かを識別できる。さらに、２口同時使用されているときに残りの１口にて切／入キーを押下しても無効としかつ報知手段５にて無効報知を行うので、これ以上に別の加熱ユニットが加熱開始するのを防ぎ、現時点で同時に加熱している加熱ユニットの状態を継続することができるとともに、機器を使用する者は、調理に使用する加熱ユニットをこれ以上増やすことができないことを認識できる。
【００４９】
また、右表示手段８ａ、左表示手段９ａ、およびロースタ表示手段１０ａにて各加熱ユニットで加熱できない旨の表示を行うための専用の表示要素「不可」を備える代わりに、右誘導加熱ユニット１にて加熱できないときは右表示照明手段８ｂを消灯、左誘導加熱ユニット２にて加熱できないときは左表示照明手段９ｂを消灯、ロースタユニット３にて加熱できないときは、図５に示すようにロースタ表示照明手段１０ｂを消灯する構成にもできる。
【００５０】
この構成にすれば、各加熱ユニットにて加熱可能か否かを照明手段の点灯／消灯にて示し、専用の表示要素を別途設けることなく、機器を使用する者に調理に使用する加熱ユニットを増やすことができるか否かを識別させることができる。
【００５１】
なお、本発明は機器の総電力量を配線の定格容量内に抑えることを目的としており、誘導加熱ユニット２口、ロースタユニット１口、およびラジェントユニット１口の合計４口有する多口加熱調理器で、筐体内部の温度を抑えるため、あるいは回路構成上の制約によりロースタユニットとラジェントユニットを同時に使用できないようにしているものとは目的が明確に異なる。
【００５２】
（実施の形態２）
図１は、本発明の実施の形態２における加熱調理器のブロック図であり、実施の形態１と同一の構成手段からなる。実施の形態１と異なる点は、１つの加熱ユニットが加熱状態でかつもう１つの加熱ユニットがタイマー設定またはメニュー選択のみ状態のときに、残りの加熱ユニットにて切／入キー操作が行われると、操作表示部４は、残りの加熱ユニットで加熱開始するとともに、タイマー設定またはメニュー選択のみ状態の加熱ユニットでは前記タイマー設定またはメニュー選択を解除し以後何れのキーも無効とするようにしたことである。
【００５３】
以上のように構成された加熱調理器について、以下その動作、作用を説明する。
【００５４】
まず、右誘導加熱ユニット１で加熱し左誘導加熱ユニット２でタイマー設定のみ状態の場合について説明する。このとき、ロースタ切／入キー１０ｃを押下すると、操作表示部４のロースタ操作表示部１０はロースタユニット３の制御手段３ｃを制御して火力「強」（１２００Ｗ）で加熱開始し、ロースタ表示手段１０ａにて火力「強」で加熱している旨の表示を行うとともに、左誘導加熱操作表示部９ではタイマー設定を解除し、以後は左誘導加熱操作表示部９にある左切／入キー９ｃ〜左取消キー９ｈの全てのキーを無効とする。
【００５５】
また、ロースタユニット３で加熱し左誘導加熱ユニット２でタイマー設定のみ状態にて右切／入キー８ｃを押下した場合も同様に、左誘導加熱操作表示部９ではタイマー設定を解除し、以後は左誘導加熱操作表示部９にある左切／入キー９ｃ〜左取消キー９ｈの全てのキーを無効とする。
【００５６】
次に、左誘導加熱ユニット２で加熱し右誘導加熱ユニット１でタイマー設定のみ状態の場合について説明する。このとき、ロースタ切／入キー１０ｃを押下すると、操作表示部４のロースタ操作表示部１０はロースタユニット３の制御手段３ｃを制御して火力「強」（１２００Ｗ）で加熱開始し、ロースタ表示手段１０ａにて火力「強」で加熱している旨の表示を行うとともに、右誘導加熱操作表示部８ではタイマー設定を解除し、以後は右誘導加熱操作表示部８にある右切／入キー８ｃ〜右取消キー８ｈの全てのキーを無効とする。
【００５７】
また、ロースタユニット３で加熱し右誘導加熱ユニット１でタイマー設定のみ状態にて左切／入キー９ｃを押下した場合も同様に、右誘導加熱操作表示部８ではタイマー設定を解除し、以後は右誘導加熱操作表示部８にある右切／入キー８ｃ〜右取消キー８ｈの全てのキーを無効とする。
【００５８】
次に、右誘導加熱ユニット１で加熱しロースタユニット３でタイマー設定またはメニュー選択のみ状態の場合について説明する。このとき、左切／入キー９ｃを押下すると、操作表示部４の左誘導加熱操作表示部９は左誘導加熱ユニット２の制御手段２ｃを制御して火力「５」（１０００Ｗ）で加熱開始し、左表示手段１０ａにて火力「５」で加熱している旨の表示を行うとともに、ロースタ操作表示部１０ではタイマー設定またはメニュー選択を解除し、以後はロースタ操作表示部１０にあるロースタ切／入キー１０ｃ〜ロースタ取消キー１０ｈの全てのキーを無効とする。
【００５９】
また、左誘導加熱ユニット２で加熱しロースタユニット３でタイマー設定またはメニュー選択のみ状態にて右切／入キー８ｃを押下した場合も同様に、ロースタ操作表示部１０ではタイマー設定またはメニュー選択を解除し、以後はロースタ操作表示部１０にあるロースタ切／入キー１０ｃ〜ロースタ取消キー１０ｈの全てのキーを無効とする。
【００６０】
以上のように、本発明の実施の形態２では、１口は加熱中で別の１口はタイマー設定またはメニュー選択のみのときに残りの１口を加熱開始すると、タイマー設定またはメニュー選択のみの加熱ユニットはタイマー設定またはメニュー選択を解除するとともに加熱不可として、機器を使用する者に残りの加熱ユニットは調理に使用できないことを認識させることができる。
【００６１】
（実施の形態３）
図１は、本発明の実施の形態３における加熱調理器のブロック図であり、実施の形態１と同一の構成手段からなる。実施の形態１と異なる点は、１つの加熱ユニットが加熱状態でかつもう１つの加熱ユニットがタイマー設定またはメニュー選択のみ状態のときに、残りの加熱ユニットにて切／入キー含め何れのキー操作も無効とするようにしたことである。
【００６２】
以上のように構成された加熱調理器について、以下、図６を用いて、その動作、作用を説明する。図６は本発明の実施の形態３における加熱調理器の表示例である。
【００６３】
まず、右誘導加熱ユニット１で加熱し左誘導加熱ユニット２でタイマー設定のみ状態の場合について説明する。このとき、ロースタユニット３については、図６に示すように、ロースタ操作表示部１０のロースタ表示手段１０ａでロースタユニット３が使用できない旨を示す「不可」表示を行って、機器を使用する者にロースタユニット３が使用できないことを認識させるとともに、ロースタ切／入キー１０ｃ〜ロースタ取消キー１０ｈの何れのキー押下を検知しても、報知手段５を「ぴっぴっぴっ」と吹鳴させてキー操作が無効である旨の報知を行う。
【００６４】
また、左誘導加熱ユニット２で加熱し右誘導加熱ユニット１でタイマー設定のみ状態の場合についても同様である。
【００６５】
次に、右誘導加熱ユニット１で加熱しロースタユニット３でタイマー設定またはメニュー選択のみ状態の場合について説明する。このとき、左誘導加熱ユニット２については、左誘導加熱操作表示部９の左表示手段９ａで左誘導加熱ユニット２が使用できない旨を示す「不可」表示を行って、機器を使用する者に左誘導加熱ユニット２が使用できないことを認識させるとともに、左切／入キー９ｃ〜左取消キー９ｈの何れのキー押下を検知しても、報知手段５を「ぴっぴっぴっ」と吹鳴させてキー操作が無効である旨の報知を行う。
【００６６】
また、ロースタユニット３で加熱し右誘導加熱ユニット１でタイマー設定のみ状態の場合についても同様である。
【００６７】
次に、左誘導加熱ユニット２で加熱しロースタユニット３でタイマー設定またはメニュー選択のみ状態の場合について説明する。このとき、右誘導加熱ユニット１については、右誘導加熱操作表示部８の右表示手段８ａで右誘導加熱ユニット１が使用できない旨を示す「不可」表示を行って、機器を使用する者に右誘導加熱ユニット１が使用できないことを認識させるとともに、右切／入キー８ｃ〜右取消キー８ｈの何れのキー押下を検知しても、報知手段５を「ぴっぴっぴっ」と吹鳴させてキー操作が無効である旨の報知を行う。
【００６８】
また、ロースタユニット３で加熱し左誘導加熱ユニット２でタイマー設定のみ状態の場合についても同様である。
【００６９】
以上のように、本発明の実施の形態３では、１口は加熱中で別の１口はタイマー設定またはメニュー選択のみ状態でも、残りの１口に関する操作を受け付けないようにして、タイマー設定したけど加熱操作できないといった現象をなくし、機器の使い勝手を向上することができる。
【００７０】
（実施の形態４）
図１は、本発明の実施の形態４における加熱調理器のブロック図であり、実施の形態３と同一の構成手段からなる。実施の形態３と異なる点は、操作表示部４は、右誘導加熱ユニット１とロースタユニット３を同時使用している状態で左誘導加熱ユニット２に関するキー操作の押下を検知すると、前記操作を有効とするとともに、右誘導加熱ユニット１を加熱停止またはタイマー設定解除するようにしたことである。
【００７１】
以上のように構成された加熱調理器について、以下、図７を用いて、その動作、作用を説明する。図７は本発明の実施の形態４における加熱調理器の表示例である。
【００７２】
まず、右誘導加熱ユニット１とロースタユニット３を同時加熱する場合について説明する。このとき、左切／入キー９ｃを押下すると、操作表示部４の左誘導加熱操作表示部９は左誘導加熱ユニット２の制御手段２ｃを制御して火力「５」（１０００Ｗ）で加熱開始し、左表示手段９ａにて火力「５」で加熱している旨の表示を行うとともに、右誘導加熱操作表示部８では右誘導加熱ユニット１の加熱を停止し、以後は右誘導加熱操作表示部８にある右切／入キー８ｃ〜右取消キー８ｈの全てのキーを無効とする。
【００７３】
また、ロースタユニット３で加熱し右誘導加熱ユニット１でタイマー設定のみ状態にて左切／入キー９ｃを押下した場合も、操作表示部４の左誘導加熱操作表示部９は左誘導加熱ユニット２の制御手段２ｃを制御して火力「５」（１０００Ｗ）で加熱開始し、左表示手段９ａにて火力「５」で加熱している旨の表示を行うとともに、右誘導加熱操作表示部８では右誘導加熱ユニット１のタイマー設定を解除し、以後は右誘導加熱操作表示部８にある右切／入キー８ｃ〜右取消キー８ｈの全てのキーを無効とする。
【００７４】
ところが、右誘導加熱ユニット１と左誘導加熱ユニット２を同時使用する状態にてロースタ操作表示部１０にあるキー（ロースタ切／入キー１０ｃ〜ロースタ取消キー１０ｈ）を操作しても、実施の形態３で示した通り何れのキーも無効とする。同様に、左誘導加熱ユニット２とロースタユニット３を同時使用する状態にて右誘導加熱操作表示部８にあるキー（右切／入キー８ｃ〜右取消キー８ｈ）を操作しても、実施の形態３で示した通り何れのキーも無効とする。
【００７５】
以上のように、本発明の実施の形態４では、機器を使用する者は、右誘導加熱ユニット１とロースタユニット３を同時使用しているときでも、左誘導加熱ユニット２を優先的に使用できるようにすることができる。
【００７６】
なお、図７に示すように、左表示手段９ａにて優先順位が高い旨を示す「◎」表示を行い、右表示手段８ａにて優先順位が低い旨を示す「×」表示を行うようにすると、機器を使用する者は、表示を見て、左誘導加熱ユニット２が優先的に使用できること、および左誘導加熱ユニット２を使用したときに右誘導加熱ユニット１が使用不可になってしまう可能性のあることを識別できる。
【００７７】
（実施の形態５）
図１は、本発明の実施の形態５における加熱調理器のブロック図であり、実施の形態４と同一の構成手段からなる。実施の形態４と異なる点は、操作表示部４は、右誘導加熱ユニット１とロースタユニット３を同時使用している状態で左誘導加熱ユニット２に関するキー操作を検知すると、前記操作を有効とするとともに、前記操作が左切／入キー９ｃの場合のみ右誘導加熱ユニット１を加熱停止またはタイマー設定解除するようにしたことである。
【００７８】
以上のように構成された加熱調理器について、以下その動作、作用を説明する。
【００７９】
例えば、右誘導加熱ユニット１とロースタユニット３を同時加熱する場合について説明する。このとき、左時キー９ｆを押下すると、操作表示部４の左誘導加熱操作表示部９はタイマー時間を「１：００」に設定し、左表示手段９ａにてタイマー時間「１：００」表示を行うが、右誘導加熱操作表示部８では右誘導加熱ユニット１の加熱状態を継続する。
【００８０】
ここで、左取消キー９ｈを押下すると、操作表示部４の左誘導加熱操作表示部９はタイマー設定を解除し、右誘導加熱操作表示部８は右誘導加熱ユニット１の加熱状態を継続する。
【００８１】
しかし、ここで左切／入キー９ｃを押下すると、操作表示部４の左誘導加熱操作表示部９は左誘導加熱ユニット２の制御手段２ｃを制御して火力「５」（１０００Ｗ）で加熱開始し、左表示手段９ａにて火力「５」で加熱している旨の表示を行うとともに、右誘導加熱操作表示部８では右誘導加熱ユニット１の加熱を停止し、以後は右誘導加熱操作表示部８にある右切／入キー８ｃ〜右取消キー８ｈの全てのキーを無効とする。
【００８２】
以上のように、本発明の実施の形態５では、右誘導加熱ユニット１とロースタユニット３を同時使用しているときに、誤って左誘導加熱ユニット２でタイマー設定に関する操作を行っただけでは右誘導加熱ユニット１の状態は変化せず、その後左誘導加熱ユニット２のタイマー設定を解除すると、右誘導加熱ユニット１は引き続き使用状態を継続することができる。
【００８３】
（実施の形態６）
図１は、本発明の実施の形態７における加熱調理器のブロック図であり、実施の形態４と同一の構成手段からなる。実施の形態４と異なる点は、ロースタ切／入キー１０ｃ、ロースタアップキー１０ｄ、ロースタダウンキー１０ｅの３キー同時押しにて、左誘導加熱ユニット２の操作を優先的に受け付ける動作を行うか否かの設定を交互に切り替え可能としたことである。
【００８４】
以上のように構成された加熱調理器について、以下その動作、作用を説明する。
【００８５】
まず、左誘導加熱ユニット２の操作を優先的に受け付ける動作を行う設定のときは、実施の形態４で示した動作を行う。
【００８６】
さて、この左誘導加熱ユニット２の操作を優先的に受け付ける動作を行う設定にて、右誘導加熱ユニット１、左誘導加熱ユニット２、およびロースタユニット３ともに加熱・タイマー設定・メニュー選択の何れの状態にもないときにロースタ切／入キー１０ｃ、ロースタアップキー１０ｄ、ロースタダウンキー１０ｅの３キーを同時に押下すると、操作表示部４は左誘導加熱ユニット２の操作を優先的に受け付ける動作を行わない設定に切り替わる。そして、以後は実施の形態３で示したように、右誘導加熱ユニット１およびロースタユニット３を同時使用しているときは左誘導加熱ユニット２に関する操作を全て無効とする。
【００８７】
また、左誘導加熱ユニット２の操作を優先的に受け付ける動作を行わない設定にて、右誘導加熱ユニット１、左誘導加熱ユニット２、およびロースタユニット３ともに加熱・タイマー設定・メニュー選択の何れの状態にもないときにロースタ切／入キー１０ｃ、ロースタアップキー１０ｄ、ロースタダウンキー１０ｅの３キーを同時に押下すると、操作表示部４は左誘導加熱ユニット２の操作を優先的に受け付ける動作を行う設定に戻る。
【００８８】
以上のように、本発明の実施の形態６では、機器を使用する者は、好みに応じて、実施例４で示した左誘導加熱ユニット２の優先順位が１位かつ右誘導加熱ユニット１の優先順位が３位のときの動作と、実施例３で示した各加熱ユニットに優先順位ないときの動作のどちらを行うかを選択することができる。
【００８９】
（実施の形態７）
図１は、本発明の実施の形態７における加熱調理器のブロック図であり、実施の形態４と同一の構成手段からなる。実施の形態４と異なる点は、ロースタメニュー選択キー１０ｆ、ロースタ分キー１０ｇ、ロースタ取消キー１０ｈの３キー同時押しにて加熱ユニット優先順位設定変更状態に移行し、各加熱ユニットのアップキーおよびダウンキーにて優先順位を変更し、正しく優先順位が設定された状態で再度ロースタメニュー選択キー１０ｆ、ロースタ分キー１０ｇ、ロースタ取消キー１０ｈの３キー同時押しにて優先順位の設定を記憶するようにしたことである。
【００９０】
以上のように構成された加熱調理器について、以下その動作、作用を説明する。
【００９１】
右誘導加熱ユニット１、左誘導加熱ユニット２、およびロースタユニット３ともに加熱・タイマー設定・メニュー選択の何れの状態にもないときにロースタメニュー選択キー１０ｆ、ロースタ分キー１０ｇ、ロースタ取消キー１０ｈの３キーを同時に押下すると、操作表示部４は加熱ユニット優先順位設定変更状態に移行する。
【００９２】
この状態では、右表示手段８ａのタイマー時間を表示する要素にて右誘導加熱ユニット１の優先順位、左表示手段９ａのタイマー時間を表示する要素にて左誘導加熱ユニット２の優先順位、ロースタ表示手段１０ａのタイマー時間を表示する要素にてロースタユニット３の優先順位をそれぞれ数字で表示する。また、右アップキー８ｄおよび右ダウンキー８ｅで右誘導加熱ユニット１の優先順位を１〜３の範囲で変更し、左アップキー９ｄおよび左ダウンキー９ｅで左誘導加熱ユニット２の優先順位を１〜３の範囲で変更し、ロースタアップキー１０ｄおよびロースタダウンキー１０ｅでロースタユニット３の優先順位を１〜３の範囲で変更する。
【００９３】
そして、各加熱ユニットで優先順位１〜３を互いに重複することなく設定した状態にて、再度ロースタメニュー選択キー１０ｆ、ロースタ分キー１０ｇ、ロースタ取消キー１０ｈの３キーを同時に押下すると、各表示手段８ａ、９ａ、１０ａで表示されている優先順位の設定を記憶するとともに、加熱ユニット優先順位設定変更状態に移行する前の状態に戻る。
【００９４】
そして、以後は記憶する優先順位に基づき、優先順位が２位および３位の加熱ユニットを同時使用するときに優先順位が１位の加熱ユニットに関する操作を行うと、優先順位が１位の加熱ユニットに関する操作を有効とするとともに、優先順位が３位の加熱ユニットを加熱停止、タイマー設定またはメニュー選択を解除する。すなわち、例えば、左誘導加熱ユニット２の優先順位が１位かつ右誘導加熱ユニット１の優先順位が３位のときは、実施の形態４で示した動作を行う。
【００９５】
以上のように、本発明の実施の形態７では、優先順位の高い加熱ユニットと優先順位の低い加熱ユニットを選択可能として、機器を使用する者は、好みに応じて一番使用頻度の高い加熱ユニットを優先順位の高い加熱ユニットとして選択することができる。
【産業上の利用可能性】
【００９６】
以上のように、本発明にかかる加熱調理器は、限られた屋内配線容量でも１口当たりの最大加熱電力量を調理に支障ないレベルにすることができるので、通信機能を備えた複数の加熱調理器を同一屋内配線で並列使用する等の用途にも適用できる。
【図面の簡単な説明】
【００９７】
【図１】本発明の実施の形態１〜７における加熱調理器のブロック図
【図２】同加熱調理器の外観図
【図３】同加熱調理器の操作表示部の外観図
【図４】本発明の実施の形態１における加熱調理器の表示例を示す図
【図５】同加熱調理器のその他の表示例を示す図
【図６】本発明の実施の形態３における加熱調理器の表示例を示す図
【図７】本発明の実施の形態４における加熱調理器の表示例を示す図
【符号の説明】
【００９８】
１  右誘導加熱ユニット
２  左誘導加熱ユニット
３  ロースタユニット
４  操作表示部
５  報知手段
８ａ  右表示手段
８ｂ  右表示照明手段
８ｆ  右時キー
８ｇ  右分キー
９ａ  左表示手段
９ｂ  左表示照明手段
９ｆ  左時キー
９ｇ  左分キー
１０ａ  ロースタ表示手段
１０ｂ  ロースタ表示照明手段
１０ｆ  ロースタメニュー選択キー
１０ｇ  ロースタ分キー
【図１】
2005158329.tif 000005
【図２】
2005158329.tif 000006
【図３】
2005158329.tif 000007
【図４】
2005158329.tif 000008
【図５】
2005158329.tif 000009
【図６】
2005158329.tif 000010
【図７】
2005158329.tif 000011